(57)【特許請求の範囲】
【請求項１】
外装における風防の内側に、前記風防を通して見えるように、回転可能に保持された回転板を備え、前記回転板の一部が前記外装の外部に露出した時計において、前記外装を構成するベゼルは、前記回転板の一部を露出するとともに、操作者が操作可能な広さに開口された操作開口部を有しており、前記回転板の一部が前記ベゼルの外縁よりも内側に位置するように前記操作開口部に配置されていることを特徴とする時計。
【請求項２】
前記回転板が不用意に回転しないように保持する保持手段を備えたことを特徴とする請求項１に記載の時計。
【請求項３】
前記外装がケースと前記ベゼルを有し、前記保持手段は前記回転板と前記ベゼルの間と、前記回転板と前記ケースの間に設けた防水パッキンであることを特徴とする請求項２に記載の時計。
【請求項４】
前記回転板の下側に文字板を有しており、前記回転板に覆われた前記文字板を目視可能なように前記回転板の一部に貫通窓を設けたことを特徴とする請求項１に記載の時計。
【請求項５】
前記保持手段は前記外装に設けた係合部材と、前記係合部材と係合するように前記回転板に設けた係合部とからなることを特徴とする請求項２に記載の時計。
【請求項６】
前記保持手段は前記回転板に設けた係合部材と、前記係合部材と係合するように前記外装に設けた係合部とからなることを特徴とする請求項２に記載の時計。
【請求項７】
前記係合部材が弾性部材で構成されており、前記係合部は前記弾性部材が係合する凹部であることを特徴とする請求項５あるいは請求項６に記載の時計。
【請求項８】
前記弾性部材がボールプランジャーであることを特徴とする請求項７に記載の時計。
【請求項９】
前記弾性部材が板バネであることを特徴とする請求項７に記載の時計。
【請求項１０】
前記保持手段が前記回転板の回転方向を規制するラチェットバネであることを特徴とする請求項２に記載の時計。
【請求項１１】
前記貫通窓に透過部材を備えたことを特徴とする請求項４に記載の時計。
【請求項１２】
前記透過部材が中凸形状からなることを特徴とする請求項１１に記載の時計。
【発明の詳細な説明】
【０００１】
【発明の属する技術分野】
本発明は、風防の内側に、風防を通して見えるように、回転可能に保持された回転板を備えた時計に関するものである。
【０００２】
【従来の技術】
従来の時計１０１としては、実用新案登録公報第２５１６５６６号に記載された構造が知られている。この構造を図９に示す。
図９において、この時計１０１は、風防１０２と、ケース１０３と、裏蓋１０４と、ムーブメント１０５と、リューズ１０６と、歯車１０７と、固定板１０８と、回転板１０９と、から構成されている。
【０００３】
詳しくは、ケース１０３の内側の上方には、切欠部１０３ａが形成される。ケース１０３の切欠部１０３ａには、風防１０２が配設される。ここで上下方向とは図９の上下方向を示す。ケース１０３には、貫通孔１０３ｂが備えられる。貫通孔１０３ｂには、パイプ１１０を介して、リューズ１０６が配設される。リューズ１０６とパイプ１１０の間には、防水パッキン１１１が配設される。
【０００４】
防水パッキン１１１により、リューズ１０６とパイプ１１０の間は防水が確保される。リューズ１０６のケース１０３の内側に位置する端部には、歯車１０７が配設される。歯車１０７に備えられたネジ１１３が、リューズ１０６に螺合される。リューズ１０６と歯車１０７を螺合させると、リューズ１０６を回転させれば、歯車１０７を回転させることができる。
【０００５】
ケース１０３の内側には、中程に内側に突出した段部１０３ｃが形成される。ケース１０３の下方には、裏蓋１０４が配設される。裏蓋１０４の上方には、バネ部１１４を介してムーブメント１０５が配設される。ムーブメント１０５の上方には、文字板１１５が配設される。ムーブメント１０５とケース１０３の間には、固定板１０８が配設される。
【０００６】
固定板１０８の上面には、内側に傾斜した傾斜面１０８ａが備えられる。固定板１０８の上方には、内側に突出するように第１フランジ部１０８ｂが形成される。固定板１０８の上方には、外側に外側凹部１０８ｃが形成される。固定板１０８の下方には、外側に突出するように第２フランジ部１０８ｄが形成される。
【０００７】
第１フランジ部１０８ｂの下面と、文字板１１５の上面が当接する。第２フランジ部１０８ｄの上面と、ケース１０３の段部１０３ｃの下面が当接する。裏蓋１０４の上方に配設されたバネ部１１４の弾性力により、固定板１０８はケース１０３の段部１０３ｃと、文字板１１５との間に挟持される。固定板１０８とケース１０３の間は、部分的な凹部、凸部の構成で係合（図示せず）され、回転方向に位置決めされている。
【０００８】
ケース１０３の段部１０３ｃの上方には、回転板１０９が配設される。回転板１０９の上面には、内側に傾斜した傾斜面１０９ａが備えられる。回転板１０９の下方には、歯車部１０９ｂが備えられる。歯車部１０９ｂは、歯車１０７と係合するように配設される。回転板１０９の上方には、外側に切欠部１０９ｃが形成される。切欠部１０９ｃには、弾性板バネ１１６が配設される。
【０００９】
回転板１０９の上方には、目隠板１１７が配設される。目隠板１１７は、風防１０２と、ケース１０３の切欠部１０３ａの下面に挟まれるように配置される。目隠板１１７は、回転板１０９の切欠部１０９ｃを覆うように配置される。弾性バネ１１６が、目隠板１１７の下面を弾性力で押すと、回転板１０９が、ケース１０３の段部１０３ｃの上面側に付勢される。回転板１０９が、ケース１０３の段部１０３ｃの上面側に付勢されると、回転板１０９の上下方向のガタがなくなる。
【００１０】
回転板１０９の上方には、内側に内側凸部１０９ｄが形成される。内側凸部１０９ｄは、固定板１０８の外側凹部１０８ｃに隙間を持って嵌合する。内側凸部１０９ｄと外側凹部１０８ｃが嵌合することで、時計１０１は、回転板１０９と固定板１０８との隙間を隠すことができる。固定板１０８の傾斜面１０８ａと、回転板１０９の傾斜面１０９ａは、その表面がほぼ同一平面上に配置される。文字板１１５の上方には、針１１８が配置される。
【００１１】
このような構造により、時計１０１の携帯者が、リューズ１０６を指で回すと、歯車１０７が回る。歯車１０７が回ると、歯車１０７に係合している歯車部１０９ｂを備えた回転板１０９が回転する。回転板１０９と固定板１０８に所定の目盛をふることで、ワールドタイムや円形計算尺を構成することが可能となる特徴がある。
【００１２】
【発明が解決しようとする課題】
しかしながら、従来の時計には下記のような問題がある。
（１）時計の携帯者が、回転板を回すためにはリューズを回さなければならない。リューズの外径が小さいため、時計の携帯者が、リューズを指で回すのが困難である。
（２）時計の携帯者が、回転板を回すためのリューズが、針合わせ（時刻合わせ）用のリューズとは別に時計に必要である。
【００１３】
本発明の目的は、前記問題を解決した以下のような時計を提供することである。
（１）時計の携帯者が、回転板を容易に回転させることができる時計を提供すること。
（２）時計の携帯者が、回転板を回すためのリューズが不用の時計を提供すること。
【００１４】
【課題を解決するための手段】
上記の目的を達成するために、本発明の請求項１は、「外装を構成するベゼルは、回転板の一部を露出するとともに、操作者が操作可能な広さに開口された操作開口部を有しており、回転板の一部がベゼルの外縁よりも内側に位置するように操作開口部に配置されていること」を特徴とする。
【００１５】
この請求項１の構成により、携帯者が回転可能に保持された回転板の、外装の外部に露出している回転板の一部分を、指等により回転させることができる。よって、リューズの外径と比べて、回転板の外径は大きくすることができるため、時計の携帯者が、容易に回転板を回転させることができる。また、時計の携帯者が、回転板を回すためのリューズが不用の時計を提供することができる。
【００１６】
本発明の請求項２は、
「回転板が不用意に回転しないように保持する、保持手段を備えたこと」
を特徴とする。
この請求項２の構成により、保持手段を設定することで、回転板が不用意に回転しない。また、保持手段を解除することで、携帯者は回転板を回転させることができる。
【００１７】
本発明の請求項３は、「外装がケースとベゼルを有し、保持手段は回転板とベゼルの間と、回転板とケースの間に設けた防水パッキンであること」を特徴とする。この請求項３の構成により、回転板と外装との間の防水が確保できる。
【００１８】
本発明の請求項４は、「回転板の下側に文字板を有しており、回転板に覆われた文字板を目視可能なように回転板の一部に貫通窓を設けたこと」を特徴とする。この請求項４の構成により、本発明の時計は、回転板に覆われた一部分を携帯者に目視させることができる。
【００１９】
本発明の請求項５は、「保持手段は外装に設けた係合部材と、係合部材と係合するように回転板に設けた係合部とからなること」を特徴とする。
【００２０】
本発明の請求項６は、「保持手段は回転板に設けた係合部材と、係合部材と係合するように外装に設けた係合部とからなること」を特徴とする。この請求項５、６の構成により、本発明の時計は、係合部材が係合部に係合することで、回転板が不用意に回転しない。また、係合部材と係合部の係合を解除することで、携帯者は回転板を回転させることができる。
【００２１】
本発明の請求項７は、「係合部材が弾性部材で構成されており、前記係合部は前記弾性部材が係合する凹部であること」を特徴とする。この請求項７の構成により、弾性部材が凹部形状に係合することで、回転板が不用意に回転しない。また、弾性部材と凹部形状の係合を解除することで、携帯者は回転板を回転させることができる。
【００２２】
本発明の請求項８は、「前記弾性部材がボールプランジャーであること」を特徴とする。
【００２３】
本発明の請求項９は、「前記弾性部材が板バネであること」を特徴とする。この請求項８，９の構成により、本発明の時計は、簡単な構造で弾性部材を提供することができる。
【００２４】
本発明の請求項１０は、「前記保持手段が前記回転板の回転方向を規制するラチェットバネであること」を特徴とする。この請求項１０の構成により、本発明の時計は、ラチェットバネを設定することで、回転板が一方の方向に回転できるが、他方の方向には回転できないように回転板の回転方向を規制することができる。
【００２９】
本発明の請求項１１は、「前記貫通窓に透過部材を備えたこと」を特徴とする。この請求項１１の構成により、本発明の時計は、たとえば、透過部材に着色部材を使用することができる。透過部材に着色部材を使用することで、透過部材を通して目視できる部分を色付きに見せることができる。
【００３０】
また、本発明の時計は、たとえば、透過部材に印刷を施すことができる。透過部材に目盛を印刷すると、透過部材を通して携帯者が、目視できる部分の計測機能を持たせることもできる。透過部材に図柄やキャラクターを印刷すると、透過部材を通して携帯者が、目視できる部分に装飾性を付与することができる。
もちろん本発明の時計は、透過部材に、着色と印刷を合わせて施すこともできる。
【００３３】
本発明の請求項１２は、「透過部材が中凸形状からなること」を特徴とする。この請求項１２構成により、本発明の時計は、透過部材の中凸形状が奏するレンズ効果により、回転板に覆われた部分を、大きく目視させることができる。
【００３５】
以下図面を用いて本発明の実施の形態１を説明する。
図１は本発明の時計の実施の形態１の組立断面図、
図２は本発明の時計の実施の形態１の分解図、
図３は本発明の時計の実施の形態１の部分斜視図である。
【００３６】
本発明の時計１は、風防１０と、ベゼル２０と、回転板３０と、ケース４０と、裏蓋５０と、中枠６０と、文字板７０と、ムーブメント８０を備える。回転板３０は、風防１０の内側に、風防１０を通して見えるように、回転可能に保持されている。回転板３０の一部が、外装であるベゼル２０と、ケース４０の間から外部に露出する。ここで外装とは、ムーブメント８０を除く、時計を構成する構成部品のことをいう。
【００３７】
詳しくは、風防１０の下には、ベゼル２０が配置される。ここで上下方向とは、図１、図２、図３における上下方向を示す。
ベゼル２０の下方には、ケース４０が配置される。ベゼル２０とケース４０の間には、回転板３０が配置される。ケース４０の下方には、裏蓋５０が配置される。裏蓋５０の上方には、ムーブメント８０が配置される。ムーブメント８０には、その外周に配置された中枠６０により、ケース４０に支持される。ムーブメント８０上方には、文字板７０が回転板３０に覆われるように配置される。文字板７０の上方には、針８１が配置される。
【００３８】
ベゼル２０の内周部上方には、段部として形成された風防固定部２０ａが形成される。風防固定部２０ａには、パッキン８２を介して、風防１０が配置される。ベゼル２０の風防固定部２０ａの内側には、下方に向かって傾斜面２０ｂが形成される。ベゼル２０の下面には、回転板３０を収納する周状の溝部２０ｃが備えられる。
【００３９】
ベゼル２０の上面の外周部には、操作開口部２０ｄが備えられる。操作開口部２０ｄは、ベゼル２０の溝部２０ｃに収納された回転板３０が、外方に露出するように形成される。操作開口部２０ｄは、溝部２０ｃから露出した回転板３０を、携帯者の指等により回転操作可能な形状及び広さに開口される。操作開口部２０ｄは、ベゼル２０の外方より、溝部２０ｃに達するように、ベゼル２０の外周部を部分的に切り欠いて形成される。
２つの操作開口部２０ｄが相対して設けられていたほうが、携帯者が回転板３０を指でつかみ易くなるので好ましいが、少なくとも１つあれば良い。
【００４０】
回転板３０は、その中央に貫通窓３０ａが備えられた、略リング状に形成される。回転板３０に備えられた貫通窓３０ａより、回転板３０の下方に配置された文字板７０の上面が、目視可能になる。回転板３０に備えられた貫通窓３０ａが、回転板３０に覆われた部分が目視可能な目視手段を構成する。これにより、携帯者は、簡単な構造で回転板３０に覆われた部分を貫通窓３０ａを通して目視できる。
【００４１】
回転板３０の外周部には、上方に向かって周状に突出する壁部３０ｂが形成される。回転板３０の内周部には、下方に向かって周状に突出する凸部３０ｃが形成される。回転板３０の内周部には、上方に向かって周状に突出する突部３０ｄが形成される。回転板３０の突部３０ｄの内側には、下方に向かって傾斜面３０ｅが形成される。ベゼル２０の傾斜面２０ｂと、回転板３０の傾斜面３０ｅは略同一平面上に形成される。
【００４２】
ケース４０には、上面内側に段部４０ａが備えられる。ケース４０の段部４０ａの内側には、内側に周状に突出する突出部４０ｂが備えられる。ベゼル２０の溝部２０ｃと、ケース４０の段部４０ａとで形成された空間には、回転板３０の外周部分が、回転可能に収納される。
【００４３】
回転板３０とベゼル２０との間に、防水パッキン８３が備えられる。詳しくは、回転板３０がベゼル２０の溝部２０ｃに収納された際に、回転板３０の内側に位置する、ベゼル２０の溝部２０ｃの下端に、周状の防水パッキン溝２０ｅが備えられる。ベゼル２０の溝部２０ｃに備えられた防水パッキン溝２０ｅには、防水パッキン８３が配置される。防水パッキン８３が、回転板３０とベゼル２０との間の防水手段を構成する。この構成により、本発明の時計１は、簡単な構造で、回転板３０とベゼル２０との間の防水が確保される。
【００４４】
回転板３０とケース４０との間には、防水パッキン８４が備えられる。詳しくは、ケース４０の段部４０ａの上方には、周状の防水パッキン溝４０ｃが備えられる。段部４０ａに備えられた防水パッキン溝４０ｃには、防水パッキン８４が配置される。防水パッキン８４が、回転板３０とケース４０との間の防水手段を構成する。この構成により、本発明の時計１は、簡単な構造で回転板３０とベゼル２０との間の防水が確保される。
【００４５】
本発明の時計１は、回転板３０とベゼル２０との間に、防水パッキン８３が備えられることにより、回転板３０とベゼル２０との間に摩擦力が発生する。回転板３０とケース４０との間に、防水パッキン８４が備えられることにより、回転板３０とケース４０との間に摩擦力が発生する。防水パッキン８３と防水パッキン８４が、回転板３０が不用意に回転しないように保持する、保持手段を構成する。
【００４６】
この構成により、本発明の時計１は、回転板３０が不用意に回転しない。また、保持手段を解除することで、回転板３０を回転させることができる。保持手段は、回転板３０を回転板３０とベゼル２０との間の摩擦力と、回転板３０とケース４０との間の摩擦力を合わせた以上の力で携帯者が回すことにより、解除できる。
【００４７】
回転板３０の壁部３０ｂの上方には、外側に向かって周状に突出するように形成された操作凸部３０ｆが形成される。回転板３０の操作凸部３０ｆには、その表面に凹凸形状３０ｇが備えられる。凹凸形状３０ｇは、回転板３０の壁部３０ｂの上面に亘って形成されていてもかまわない。この構成により、携帯者の指先が回転板３０に掛かり易くなり、回転板３０の回転操作性が良くなる。
【００４８】
また、本発明の時計１は、ベゼル２０の傾斜面２０ｂと、回転板３０の傾斜面３０ｅとに目盛りをふることで、計算尺としての機能を時計に持たせることも可能である。
さらに、本発明の時計１は、ベゼル２０の傾斜面２０ｂと、回転板３０の傾斜面３０ｅを、略同一平面上に形成することで、目盛の読み取り誤差を少なくすることができる。
【００４９】
文字板７０の外周部の上面が、ケース４０の突出部４０ｂの下面に当接する。文字板７０は、ムーブメント８０の上面と、ケース４０の突出部４０ｂの下面との間に挟持されるように保持される。文字板７０の上面と、回転板３０の凸部３０ｃの下面との間には、隙間があることが望ましい。文字板７０の上面と回転板３０の凸部３０ｃの下面との間に隙間があれば、携帯者が、回転板３０をスムーズに回転させることができる。
【００５０】
ベゼル２０は、ケース４０の下方より挿入され、ベゼル２０に螺合されるネジ８５により、ケース４０に固定される。このようにベゼル２０を下方よりケース４０に固定することで、ベゼル２０の上方からネジ８５が見えないので好ましい。もちろんベゼル２０の上方よりネジを挿入して、ネジをケース４０に螺合しても、機能上の問題はない。
【００５１】
以上の構成により、本発明の時計１は、回転板３０を外装の外部から携帯者の指等により回転させることができる。リューズの外径と比べて、回転板３０の外径は大きくすることができるため、携帯者が容易に回転板３０を回転させることができる。
また、本発明は、携帯者が回転板３０を回すためのリューズが不用の時計を提供することができる。
【００５２】
（実施の形態２）
以下図面を用いて本発明の実施の形態２を説明する。ただしの本発明の実施の形態１と同じ部品には、本発明の実施の形態１と同じ符号を付けて説明は省略する。
図４は本発明の時計の実施の形態２の組立断面図、
図５は本発明の時計の実施の形態２の上平面図である。
【００５３】
本発明の時計２と、本発明の実施の形態１との構造上の違いは、ケース４１と回転板３１のみである。説明はケース４１と回転板３１の形状だけにとどめる。
【００５４】
ケース４１の上面内側には、本発明の実施の形態１と同様に段部４１ａが備えられる。ケース４１の段部４１ａには、上面側より有底の孔４１ｂが備えられる。有底の孔４１ｂには、弾性部材であるボールプランジャー８６が備えられる。ボールプランジャー８６のボール部分が、ケース４１の段部４１ａの上面よりも突出するように備えられる。ボールプランジャー８６のボール部分が、上方に位置するように有底の孔４１ｂに備えられる。ここで上下方向とは、図４における上下方向を示す。
【００５５】
ケース４１とボールプランジャー８６との固定方法は、接着や溶接等その方法に制限はない。ケース４１に備えられる孔４１ｂおよび、ボールプランジャー８６は、少なくとも１つ備えられてあれば良い。ケース４１の段部４１ａに、ボールプランジャー８６が備えられる以外のケース４１の構造は、本発明の実施の形態１と同様であるため、説明は省略する。
【００５６】
回転板３１は、その一部に貫通窓３１ａが備えられた、略円板状に形成される。回転板３１の下面には、文字板７１に相対する面に、円柱状の凸部３１ｂが形成される。
回転板３１の貫通窓３１ａには、透過板８７が配置される。回転板３１の貫通窓３１ａに備えられた透過板８７より、回転板３１の下方に配置された文字板７１の上面が、携帯者に目視可能になる。回転板３１の貫通窓３１ａに備えられた透過板８７が、回転板３１に覆われた部分が目視可能な目視手段を構成する。これにより携帯者は、簡単な構造で回転板３１に覆われた部分を目視することができる。
【００５７】
透過板８７が、貫通窓３１ａに備えられた、透過部材を構成する。透過板８７は、透明、あるいは半透明なプラスチック材あるいはガラス材からなる。これにより時計２は、簡単な構造で貫通窓３１ａに、透過部材である通過板８７を備えることができる。
【００５８】
回転板３１と透過板８７は、互いに相対する段部を介して嵌合されている。詳しくは、回転板３１の貫通窓３１ａの内側面に段部３１ｃが備えられる。透過板８７の外側面に段部８７ａが備えられる。回転板３１の段部３１ｃと、透過板８７の段部８７ａは、互いに相対して嵌合可能な形状に形成される。
【００５９】
回転板３１の段部３１ｃと、透過板８７の段部８７ａを形成することで、組み立てる際に段部３１ｃと、段部８７ａ同士が当接するため、回転板３１と、透過板８７の上下方向の位置決めが容易になる。透過板８７と回転板３１は、接着等により固定される。
【００６０】
図４には、平らな透過板８７が配置されているが、透過板を中凸形状に形成（図示せず）してもかまわない。透過板８７を中凸形状に形成（図示せず）することで、透過板８７の中凸形状（図示せず）が奏するレンズ効果により、本発明の時計２は、目視可能部を大きく表出させることができる。
【００６１】
本発明の時計２は、透過板８７に、透明の部材を使用しても、色付きの部材を使用してもかまわない。透過板８７の表裏表面には、印刷等を施してもかまわない。
【００６２】
回転板３１の外周部には、本発明の実施の形態１と同様に壁部３１ｄと、操作凸部３１ｅが形成される。壁部３１ｄと操作凸部３１ｅの作用と効果は、本発明の実施の形態１と同様であるため、説明は省略する。
【００６３】
回転板３１の下面には、ケース４１に備えられたボールプランジャー８６が係合される凹部形状からなる係合部３１ｆが備えられる。回転板３１に係合部３１ｆが備えられる位置は、回転板３１を回転させたときに、ケース４１に備えられたボールプランジャー８６の軸心の軌道上にある。回転板３１を回転させて、ボールプランジャー８６と係合部３１ｆを係合させると、本発明の時計２は、回転板３１を不用意に回転しないように保持することができる。
【００６４】
反対に、携帯者は、ボールプランジャー８６と、係合部３１ｆの係合を解除すれば、回転板３１を回転させることができる。ボールプランジャー８６と係合部３１ｆとの係合を解除するには、ボールプランジャー８６が係合部３１ｆを乗り越えるような力で、携帯者が回転板３１を回転させれば良い。
【００６５】
ケース４１に備えられたボールプランジャー８６が、弾性部材からなる係合部材を構成する。回転板３１には、少なくとも１つの係合部３１ｆが備えられてあれば良い。
回転板３１に備えられた係合部３１ｆと、ケース４１に備えれられたボールプランジャー８６が、回転板３１が不用意に回転しないように保持する、保持手段を構成する。
【００６６】
図４には、ボールプランジャー８６が保持手段として構成されているが、本発明の時計２は、ボールプランジャー８６の代わりに板バネ（図示せず）を使用しても、その作用と効果は変わらない。
【００６７】
図５には、本発明の時計２を星座時計に利用したものを示す。
文字板７１の上面全体には、星座が描かれている。回転板３１には、回転板３１の周長を１２等分するように、１２ヶ所の係合部３１ｆが備えられる。１月から１２月までの各月に対応した１２ヶ所の位置で、回転板３１の回転は保持手段によって規制される。１月から１２月までの各月に対応した文字板７１の星座を、貫通窓３１ａの通過板８７を通して見ることができる。
本発明の時計２は、透過板８７を中凸形状に形成（図示せず）することで、星座を大きく表出させることもできる。
【００６８】
ケース４１とベゼル２１の固定方法は、本発明の実施の形態１と同様であるため、説明は省略する。
また、ベゼル２１と回転板３１との防水構造および、回転板３１とケース４１との防水構造も、本発明の実施の形態１と同様であるため、説明は省略する。
【００６９】
（実施の形態３）
以下図面を用いて本発明の実施の形態３を説明する。ただし本発明の実施の形態１と同じ部品には、本発明の実施の形態１と同じ符号を付けて説明は省略する。
図６は本発明の時計の実施の形態３の組立断面図、
図７は本発明の時計の実施の形態３の上平面図である。
図８は本発明の時計の実施の形態３の別の上平面図である。
【００７０】
本発明の時計３と、本発明の実施の形態１との構造上の違いは、ケース４２と回転板３２のみである。説明はケース４２と回転板３２の形状だけにとどめる。
【００７１】
本発明の時計３のケース４２には上面内側に、本発明の実施の形態１と同様に段部４２ａが備えられる。ケース４２には、弾性部材である板バネ状のラチェットバネ８８が備えられる。詳しくは、ケース４２の段部４２ａには、ラチェットバネ８８を収納するための周状の凹部４２ｂが備えられる。
【００７２】
ケース４２の凹部４２ｂには、有底の孔４２ｃが備えられる。ラチェットバネ８８の下面に突出するように備えられた係合部８８ａと、ケース４２に備えられた孔４２ｃが係合される。ラチェットバネ８８の係合部８８ａと、ケース４２の孔４２ｃが係合されることで、ラチェットバネ８８がケース４２に対して固定される。
ここで上下方向とは、図６における上下方向を示す。
【００７３】
ケース４２とラチェットバネ８８との固定方法は、これ以外に接着や溶接等その方法に制限はない。ケース４２に備えられる孔４２ｃおよび、ラチェットバネ８８は、少なくとも１つ備えられてあれば良い。ケース４２の段部４２ａにラチェットバネ８８が備えられている以外のケース４２の構造は、本発明の実施の形態１と同様であるため、説明は省略する。
【００７４】
回転板３２は、その一部に貫通窓３２ａが備えられた、略円板状に形成される。回転板３２の下面には、文字板７２に相対する面に円柱状の凸部３２ｂが形成される。
回転板３２に備えられた貫通窓３２ａが、回転板３２に覆われた部分が目視可能な目視手段を構成する。これにより、携帯者は、簡単な構造で回転板３２に覆われた部分を目視することができる。
【００７５】
回転板３２の外周部には、本発明の実施の形態１と同様に壁部３２ｃと、操作凸部３２ｄが形成される。壁部３２ｃと操作凸部３２ｄの作用と効果は、本発明の実施の形態１と同様であるため、説明は省略する。
【００７６】
回転板３２の下面には、ケース４２に備えられたラチェットバネ８８が係合される、凹凸形状からなる係合部３２ｅが備えられる。回転板３２に係合部３２ｅが備えられる位置は、回転板３２を回転させたときに、ケース４２に備えられたラチェットバネ８８の軌道上にある。ケース４２に備えられたラチェットバネ８８と、回転板３２に備えられた係合部３２ｅを係合させることで、携帯者は、回転板３２が不用意に回転しないように保持することができる。
【００７７】
本発明の時計３は、ラチェットバネ８８と係合部３２ｅが係合されると、ラチェットバネ８８の特性により、回転板３２が一方の方向に回転できるが、他方の方向には回転できないように、回転板３２の回転方向を規制することができる。
反対に、ラチェットバネ８８と係合部３２ｅの係合を解除すれば、携帯者は、回転板３２を回転させることができる。ラチェットバネ８８と係合部３２ｅとの係合を解除するには、ラチェットバネ８８が係合部３２ｅを乗り越えるような力で携帯者は、回転板３２を回転させれば良い。
【００７８】
ケース４２に備えられたラチェットバネ８８が、弾性部材からなる係合部材を構成する。回転板３２に備えられた係合部３２ｅが、ケース４２に備えられたラチェットバネ８８が係合される凹凸形状部を構成する。本発明の時計３は、回転板３２に備えられた係合部３２ｅと、ケース４２に備えられたラチェットバネ８８が、回転板３２が不用意に回転しないように保持する、保持手段を構成する。合わせて、本発明の時計３は、回転板３２に備えられた係合部３２ｅと、ケース４２に備えられたラチェットバネ８８が、回転板３２の回転方向を規制する規制手段を構成する。
【００７９】
図６には、回転板３２に係合部３２ｅが備えられ、ケース４２にラチェットバネ８８が備えられた構造が示されているが、回転板３２にラチェットバネ（図示せず）が備えられ、ケース４２に係合部（図示せず）が備えられた構造であっても、その作用と効果はかわらない。
回転板３２にラチェットバネ（図示せず）が備えられ、ケース４２に係合部（図示せず）が備えられた構造についての説明は省略する。
【００８０】
図７および図８には、本発明の時計３を時差修正時計に利用したものを示す。図７および図８の針８１は、それぞれ時針８１ａ、分針８１ｂ、秒針８１ｃを示す。
本発明の時計３は、文字板７２には、アラビア数字にて基準時間をあらわすの基準時字７２ａが表示されている。基準時字７２ａは、文字板７２の上の回転板３２の貫通孔３２ａより目視できる位置に表示される。回転板３２には、ローマ数字にて時差時間をあらわす時差時字３２ｆが表示されている。時差時字３２ｆは、回転板３２の上の風防１０を通して目視できる位置に表示される。携帯者は、回転板３２を文字板７２に対して、時差時間分回すことで時差を調整することができる。
【００８１】
図７は時差の無い状態を示している。詳しくは、基準時間と時差時間ともに、１０時９分３５秒を示している。図８は、基準時間に対して時差が３時間進んだ状態を示している。詳しくは、基準時間は１０時９分３５秒を示しており、時差時間は１時９分３５秒を示している。
【００８２】
ケース４２とベゼル２２の固定方法は、本発明の実施の形態１と同様であるため、説明は省略する。
また、本発明の時計３のベゼル２２と回転板３２との防水構造および、回転板３２とケース４２との防水構造も、本発明の実施の形態１と同様であるため、説明は省略する。
【００８３】
【発明の効果】
本発明は、
（１）時計の携帯者が、回転板を容易に回転させることができる時計を提供することができる。
（２）時計の携帯者が、回転板を回すためのリューズが不用の時計を提供することができる。
の効果を奏するものである。
【図面の簡単な説明】
【図１】本発明の実施の形態１の組立断面図である。
【図２】本発明の時計の実施の形態１の分解図である。
【図３】本発明の時計の実施の形態１の部分斜視図である。
【図４】本発明の時計の実施の形態２の組立断面図である。
【図５】本発明の時計の実施の形態２の上平面図
【図６】本発明の時計の実施の形態３の組立断面図
【図７】本発明の時計の実施の形態３の上平面図
【図８】本発明の時計の実施の形態３の別の上平面図
【図９】従来構造の組立断面図である。
【符号の説明】
１、２、３、１０１  時計
１０、１０２  風防
２０、２１  ベゼル
２０ａ  風防固定部
２０ｂ、３０ｅ、１０８ａ、１０９ａ  傾斜面
２０ｃ  溝部
２０ｄ  操作開口部
２０ｅ、４０ｃ  防水パッキン溝
３０、３１、３２、１０９  回転板
３０ａ、３１ａ、３２ａ  貫通窓
３０ｂ、３１ｄ、３２ｃ  壁部
３０ｃ、３１ｂ、３２ｂ  凸部
３０ｄ  突部
３０ｆ、３１ｅ、３２ｄ  操作凸部
３０ｇ  凹凸形状
３１ｃ、４０ａ、４１ａ、４２ａ、８７ａ、１０３ｃ  段部
３１ｆ、８８ａ、３２ｅ  係合部
３２ｆ  時差時字
４０、４１、４２、１０３  ケース
４０ｂ  突出部
４１ｂ、４２ｃ  孔
４２ｂ  凹部
５０、１０４  裏蓋
６０  中枠
７０、７１、７２、１１５  文字板
７２ａ  基準時字
８０、１０５  ムーブメント
８１、１１８  針
８１ａ  時針
８１ｂ  分針
８１ｃ  秒針
８２  パッキン
８３、８４、１１１  防水パッキン
８５、１１３  ネジ
８６  ボールプランジャー
８７  透過板
８８  ラチェットバネ
１０３ａ、１０９ｃ  切欠部
１０３ｂ  貫通孔
１０６  リューズ
１０７  歯車
１０８  固定板
１１０  パイプ
１１４  バネ部
１０８ｂ  第１フランジ部
１０８ｃ  外側凹部
１０８ｄ  第２フランジ部
１０９ｂ  歯車部
１０９ｃ  内側凸部
１１６  弾性板バネ
１１７  目隠板
【図１】
0004668481.tif 000002
【図２】
0004668481.tif 000003
【図３】
0004668481.tif 000004
【図４】
0004668481.tif 000005
【図５】
0004668481.tif 000006
【図６】
0004668481.tif 000007
【図７】
0004668481.tif 000008
【図８】
0004668481.tif 000009
【図９】
0004668481.tif 000010